(57)【要約】【課題】大雨等の際に床上浸水等を防止できる簡単で安価な浸水防止装置を提供する。【解決手段】浸水防止を予定する所望の場所の両側に直立して設置された１対の支持柱（２）と、該1対の支持柱の間に配置され、幅方向両端部の基部において各支持柱の基部に回動可能に取り付けられたゲート板（８）と、該支持柱の少なくとも１本の任意の位置に取り付けられた手動ロープ巻取り機(１７)と、該手動ロープ巻取り機に一端部を固定し、巻取り、巻戻し可能に巻回することができるゲート板起伏用ロープ(１８)と、該ゲート板起伏用ロープの他端部と該支持柱の任意の位置に設けられたゲート板起伏用ロープ固定手段(２１)とを備える浸水防止用ゲート。【選択図】図３
2009068180.tif 000002
【特許請求の範囲】
【請求項１】
浸水防止を予定する所望の場所の両側に直立して設置された１対の支持柱と、
該１対の支持柱の間に配置され、幅方向両端部の基部において各支持柱の基部に回動可能に取り付けられたゲート板と、
該支持柱の少なくとも１本の任意の位置に取り付けられた手動ロープ巻取り機と、
該手動ロープ巻取り機に一端部を固定し、巻取り、巻戻し可能に巻回することができるゲート板起伏用ロープと、
該ゲート板起伏用ロープの他端部と該支持柱の任意の位置に設けられたゲート板起伏用ロープ固定手段とを備えることを特徴とする浸水防止用ゲート。
【請求項２】
不使用時に表面側となる該ゲート板の面の少なくとも一部にしま鋼鈑を張設したことを特徴とする請求項１記載の浸水防止用ゲート板。
【請求項３】
各支持柱の任意の位置および該ゲート板を起立した時該ゲート板の幅方向両端部において該支持柱の前記任意の位置に対応する該ゲート板の任意の位置にそれぞれロックピン挿入孔を開設し、該ゲート板を起立した時該ロックピン挿入孔にロックピンを挿入することにより該ゲート板を各支持柱に固定することを特徴とする請求項１または２記載の浸水防止用ゲート板。
【発明の詳細な説明】
【技術分野】
【０００１】
本発明は、一般家庭の門等の入口や駐車場、マンションの入口、地下室の入口等に設置して台風や大雨等の際に床下、床上浸水や地下室等への浸水を未然に防止することができる浸水防止用ゲートに関する。
【背景技術】
【０００２】
台風や集中豪雨等により洪水が起こり、道路上に雨水等の水が溢れて一般家庭の玄関や駐車場等の敷地内に大量の水が浸入し、床下浸水や床上浸水を生じたり、ビルの地下室や地下駐車場に浸水する事例が数多く生じている。
【０００３】
このような浸水を防止するため現在一般に採られている防止策は台風等による浸水が予想される場所に多数の土嚢を積み上げることである。しかし、土嚢の構築および撤去には多数の人力を必要とし、一家庭の一人の住人の力ではとうてい不可能である。したがって、大雨により洪水の発生が必至と予想される場合でも一般家庭の玄関や駐車場、マンションの入口、ビルの地下室や地下駐車場等に急遽土嚢を構築することは実際には行われておらず、床上浸水や床下浸水の発生が生じるままに任せているのが現状である。
【発明の開示】
【発明が解決しようとする課題】
【０００４】
本発明は、このような事態を改善することを目的としてなされたものであって、重い土嚢の構築と後片付けを必要とせず、簡単で安価な装置であって一人の人力で操作ができ、一般家庭等への床上浸水、床下浸水、ビルの地下室や地下駐車場への水の浸入を有効に防止することができる新規な装置を提供しようとするものである。
【課題を解決するための手段】
【０００５】
上記目的を達成する本発明の浸水防止ゲートは、浸水防止を予定する所望の場所の両側に直立して設置された１対の支持柱と、該1対の支持柱の間に配置され、幅方向両端部の基部において各支持柱の基部に回動可能に取り付けられたゲート板と、該支持柱の少なくとも１本の任意の位置に取り付けられた手動ロープ巻取り機と、
該手動ロープ巻取り機に一端部を固定し、巻取り、巻戻し可能に巻回することができるゲート板起伏用ロープと、該ゲート板起伏用ロープの他端部と該支持柱の任意の位置に設けられたゲート板起伏用ロープ固定手段とを備えることを特徴とするものである。
【０００６】
本発明の１態様として、不使用時に表面側となる該ゲート板の面の少なくとも一部にしま鋼鈑を張設することが好ましい。
【０００７】
本発明の他の態様として、各支持柱の任意の位置および該ゲート板を起立した時該ゲート板の幅方向両端部において該支持柱の前記任意の位置に対応する該ゲート板の任意の位置にそれぞれロックピン挿入孔を開設し、該ゲート板を起立した時該ロックピン挿入孔にロックピンを挿入することにより該ゲート板を各支持柱に固定することが好ましい。
【発明の効果】
【０００８】
本発明の浸水防止用ゲートによれば、浸水防止を予定する所望の場所の両側に設置された１対の支持柱の間に配置され、幅方向両端部の基部において各支持柱の基部に回動可能に取り付けられたゲート板をゲート板起伏用ロープで起伏することができるので、浸水防止の必要がない不使用時にはゲート板を倒して敷地上に寝かせた状態に置き、その上を人が自由に通行でき、浸水が予想される場合は、ゲート板を直立させることにより土嚢を積み上げた状態と同じ状態を実現することができ、水や土砂の敷地内への浸入を未然に防止することができる。
【０００９】
また、重い土嚢を多数積み上げたり撤去したりする必要がなく、大人一人の人力で充分ゲート板の起伏を行うことができるので、浸水が予想されしかも緊急な場合でも、一般家庭でも家人一人で簡単に浸水を未然に防止することができる。
【００１０】
また、本ゲートは、構成要素として必須不可欠なものは、鉄骨などからなる１対の支持柱、鋼鈑等からなるゲート板、手動ロープ巻取り機、ステンレスワイヤ等からなるゲート板起伏用ロープおよびこのロープをゲート板に固定するためのフック等の手段のみであるので、製造コストも安価である。
【００１１】
またゲート板の起伏は手動ロープ巻取り機で行うので、台風等により停電している時でもゲート板の操作にはなんら不都合は生じない。
【００１２】
本発明の１態様においては、不使用時に表面側となる該ゲート板の面の少なくとも一部にしま鋼鈑を張設することにより、不使用時に人が寝かした状態のゲート板の上を歩く際にしま鋼鈑の摩擦力により滑ることが防止でき安全である。
【００１３】
また、本発明の他の態様においては、各支持柱の任意の位置および該ゲート板を起立した時該ゲート板の幅方向両端部において該支持柱の前記任意の位置に対応する該ゲート板の任意の位置にそれぞれロックピン挿入孔を開設し、該ゲート板を起立した時該ロックピン挿入孔にロックピンを挿入することにより該ゲート板を各支持柱に固定することにより、ゲート板が各支持柱にしっかりと固定され流水の圧力によって倒れることをより確実に防止することができる。
【発明を実施するための最良の形態】
【００１４】
以下添付図面を参照して本発明の実施の形態について説明する。  
図1〜図５は本発明の浸水防止用ゲートの１実施形態を示すもので、図１はゲートの使用中の状態を示す正面図、図２はゲートの不使用時の状態を示す正面図、図３はゲートの不使用時および起立途中の状態を示す側面図で、それぞれ一部は断面で示す。また、図４はゲート板の断面図であり、図５はゲートの設置場所の１例を示す平面図である。図５においてゲートは不使用状態で示されている。また、図１および図２は敷地内から道路側に見た正面図である。
【００１５】
浸水防止用ゲート１は、一般家庭の門や駐車場の入口、マンションの入口、地下室の入口、店舗や工場、業務用駐車場等の入口等大雨の際に浸水防止を予定する所望の場所の両側に直立して設置される１対の支持柱２、２を備える。本実施形態の場合は、好適な１例として一戸建ての家の門の内側に設置する場合を例にとって説明する。この場合、ゲート１は、図５の平面図に示すように、門柱３、３、ブロック塀４、４、門５を備える家の門柱３、３の内側すなわち敷地６側に設置する。この場合支持柱２、２を門柱３、３の敷地側に密着して設置することが好ましい。こうすることによって、門柱３、３と支持柱２、２の間の水が漏れることが防止されるとともにゲート１が道路7側にはみ出ることが防止される。各支持柱２の下端部２ｂは敷地６内に埋込まれたコンクリート支持台１０に固定されている。なお、図１および図２において外側の門およびブロック塀は図示を省略してある。
【００１６】
支持柱２、２の間には長方形のゲート板８が、幅方向両端部の基部８ａ、８ａにおいてヒンジ９、９等適宜の枢着手段によって各支持柱２、２の基部２ａ、２ａに回動可能に取り付けられている。ゲート板８は不使用時に地面に寝かされた状態(図２の状態)と使用時に支持柱２、２と平行に直立した起立状態(図１の状態)の間で図３から明らかなように約９０度回動することができる。
【００１７】
ゲート板８は１枚の鉄板、鋼板、ステンレス鋼板等からなるものでもよいが、表側(道路側)と裏側(敷地側)を別個の２枚の板で形成し、これら２枚の板を相互接続したものでもよい。図４はゲート板８の１例を示す断面図で、ゲート板８は、道路側の板８−１を下部からステンレスまたはメッキ鋼板１１、しま鋼板１２、３ｍｍ鋼板１３で形成し、敷地側の板８−２を下部からステンレスまたはメッキ鋼板１１および３ｍｍ鋼板１３で形成してなるものである。こうすることによって、強靭ではあるが高価なステンレス鋼板１１と強さはステンレスまたはメッキ鋼板に劣るが安価な３ｍｍ鋼板１３と凹凸が形成されていて人が踏んだとき滑らないしま鋼板１２を適宜組み合わせてつなぎ合わせることにより、経費面での採算性と水圧に耐えうる充分な強さと不使用時の滑り止め機能を合わせ有するゲート板８を作成することができる。なお、２枚の板８−１、８−２は先端部の結合用鋼板１６と下端部の弧状の結合用鋼板１６によって相互に結合されており、これらの板８−１、８−２の間は中空で、補強骨材１４によって補強されている。
【００１８】
ゲート板８の高さは予想される出水の際の水の高さに応じて適宜決定すればよい。通常は１０ｃｍ〜５０ｃｍ程度の間の適当な高さで充分であろう。
【００１９】
支持柱２の少なくとも１本の任意の位置（図示の例においては上部）には手動ロープ巻取り機１７が取り付けられている。手動巻取り機１７としては公知の構造の巻取り機が使用できる。この手動巻取り機１７には、ゲート板起伏用ロープ１８がその一端部を固定され、巻取り・巻き戻し可能に巻回されている。ゲート板起伏用ロープ１８は例えばステンレスワイヤ等で構成することができる。ゲート板起伏用ロープ１８の他端部にはたとえば図６に示すようにフック１９が固定されており、これに対応してゲート板８の対応する幅方向端部の任意の位置(図示の例では上端部)に固定されたフック留め具２０にとめることができるようになっている。フック１９とフック留め具２０はゲート板起伏用ロープ固定手段２１を形成する。
【００２０】
各支持柱２の任意の位置（図示の例では上部）にはロックピン挿入孔２２（図３）が形成されており、ゲート板８の幅方向両端部の対応する位置にもロックピン挿入孔２３が(図３)形成されている。
【００２１】
なお、ゲート板８を立てた場合は、図示のように、支持柱２、２の頂部から突出する棒を取り付け、足元注意等の表示をロープでつるして歩行者の注意を促すことが好ましい。
【００２２】
次にこの浸水防止用ゲート１の動作について説明する。  
ゲート不使用時においては、図２および図３に示すようにゲート板８は敷地６上に寝かされた状態にあり、ゲート板８の表面は門を出入りする人が踏んで歩くことができる。この際表面側のゲート板８の一部には図４に示すようにしま鋼板１２が張られているので、ゲート板８上を歩く人が滑って転倒することが防止される。この不使用時においては、ロープ１８は手動巻取り機１７に巻き取られており、フック１９はゲート板８のフック留め具２０から外されている。
【００２３】
浸水が予想される時は、ロープ１８を巻き戻してフック１９をゲート板８のフック留め具２０に引っ掛け、手動ロープ巻取り機１７を操作してロープ１８を巻き取る。すると図３に示すようにゲート板９はロープ１８に引っ張られて点線２５で示すように寝かされた状態から起立し、図１の起立した状態となる。ここで支持柱２のロックピン挿入孔２２およびゲート板８のロックピン挿入孔２３にロックピン２６を挿入し、ゲート板１８を各支持柱２に固定することにより浸水防止用ゲートを完成し浸水を防止することができる。
【００２４】
なお、図１の使用状態において、ゲート板８はその幅方向両端面が各支持柱２の内側面に密着することにより水密状態となり外部からの漏水を防止するとともに、ゲート板８の下端面は敷地６の地面(コンクリート舗装することが好ましい)に密着することにより水密状態となり下端面からの漏水を防止できるように設計することが好ましい。
【００２５】
また、図１〜３の実施形態においては、ゲート板はその両側面が２本の支持柱の対向する面に密接するようにして配置してあるが、これに限らず、図７の斜視図に示すように、ゲート板を８’野道路側に面する面の両端部が支持柱２’の敷地側面に密接するように配置してもよい。その場合、ロープや手動巻取り機の位置や構成等は、図８の示すように、この配置に合わせて動作しやすいよう調整する必要がある。
【００２６】
また、上記各実施形態は支持柱を敷地地中に埋め込んで設置した例であるが、図９の後付けタイプゲートように、敷地に孔を掘らず敷地内の構造物にボルト止めするようにして設置してもよい。
【図面の簡単な説明】
【００２７】
【図１】本発明の浸水防止用ゲートの使用中の状態を示す正面図である。
【図２】同ゲートの不使用時の状態を示す正面図である。
【図３】ゲートの不使用時および起立途中の状態を示す側面図である。
【図４】ゲート板の１例を示す断面図である。
【図５】ゲートの設置場所の１例を示す平面図である。
【図６】ゲート起伏用ロープ固定手段の１例を示す図である。
【図７】浸水防止用ケートの他の例を示す斜視図である。
【図８】図７のゲートの部分平面図である。
【図９】浸水防止用ゲートのさらに他の例を示す斜視図である。
【符号の説明】
【００２８】
１          浸水防止用ゲート
２          支持柱
８          ゲート板
１７        手動ロープ巻取り機
１８        ゲート板起伏用ロープ
２１        ゲート起伏用ロープ固定手段
２２、２３  ロックピン挿入孔
２６        ロックピン
【図１】
2009068180.tif 000003
【図２】
2009068180.tif 000004
【図３】
2009068180.tif 000005
【図４】
2009068180.tif 000006
【図５】
2009068180.tif 000007
【図６】
2009068180.tif 000008
【図７】
2009068180.tif 000009
【図８】
2009068180.tif 000010
【図９】
2009068180.tif 000011